(57)【要約】【課題】鱧、鰻等のように、棒状で細長く、「ぬめり」の多い魚の「ぬめり」を、作業者負担を軽減して能率よく満遍なく除去することである。【解決手段】処理対象の魚体Ｗを一対の回転ブラシ１１、１２のブラシ毛先間に送り込むことにより魚体表面のぬめりを取り除くものであって、回転ブラシ１１、１２は、毛足が短長異なるブラシ毛１３ａ、１３ｂ、１４ａ、１４ｂを交互に有するものとする。【選択図】図３
2011015619.tif 000002
【特許請求の範囲】
【請求項１】
各々多数のブラシ毛を放射状に有し、ブラシ毛先が互いに対向するよう配置された一対の回転ブラシと、前記回転ブラシを回転駆動する回転駆動手段とを有し、処理対象の魚体を前記一対の回転ブラシのブラシ毛先間に送り込むことにより魚体表面のぬめりを取り除くぬめり取り装置であって、
前記回転ブラシは、毛足が短長異なるブラシ毛を交互に有する魚のぬめり取り装置。
【請求項２】
前記回転ブラシは、放射状配置のブラシ毛を自身の回転軸線方向に複数段有し、その段毎に毛足が短長異なるブラシ毛を交互に有する請求項１に記載の魚のぬめり取り装置。
【請求項３】
前記回転ブラシは、円筒状のハブ部を有し、前記ハブ部の外周面に前記ブラシ毛が放射状に設けられており、前記ハブ部には当該ハブ部の外周面に開口する水噴出孔が貫通形成されている請求項１または２に記載の魚のぬめり取り装置。
【発明の詳細な説明】
【技術分野】
【０００１】
本発明は、魚のぬめり取り装置に関し、特に、鱧、鰻等の棒状の魚の魚体表面の「ぬめり」を除去するぬめり取り装置に関するものである。
【背景技術】
【０００２】
食用の魚の魚体表面には、「ぬめり」と云われる不味な粘膜があり、この粘膜、つまり「ぬめり」は、調理の前処理として除去される。一般に、ぬめり取りは、調理器具を用いて手作業により行われている。
【０００３】
鰈に特化した機械式のぬめり取り装置として、ベルトコンベアにより搬送されるすな鰈の魚体表面を、電動モータ駆動の回転ブラシによって擦ることによりぬめり取りを行うものがある（例えば、特許文献１）。
【先行技術文献】
【特許文献】
【０００４】
【特許文献１】特開平９−１３５６７８４号公報
【発明の概要】
【発明が解決しようとする課題】
【０００５】
調理器具を用いた手作業によるぬめり取りは、面倒な作業であり、作業者負担が多く、調理能率を低下させる原因になる。特に、鱧の場合は、皮が厚くて「ぬめり」を取り難いので、金属ブラシを用いて念入りに行わなくしてならず、相当な重労働となる。
【０００６】
ベルトコンベアによって魚体を搬送する機械式のぬめり取り装置は、鰈のような平べったい魚の場合には、ベルトコンベアによって魚体を搬送しつつ、その上から回転ブラシによって魚体表面を擦ることにより、「ぬめり」を取ることができるが、鱧、鰻等のように、棒状で細長く、「ぬめり」の多い魚では、ベルトコンベア上で魚体が滑り、金属ブラシによって魚体表面が、ぬめり取りのために、効果的に擦られず、また、ベルトコンベア上で魚体が横滑りし易く、満遍なくぬめり取りを行うことが難しい。
【０００７】
本発明が解決しようとする課題は、鱧、鰻等のように、棒状で細長く、「ぬめり」の多い魚の「ぬめり」を、作業者負担を軽減して能率よく満遍なく除去することである。
【課題を解決するための手段】
【０００８】
本発明による魚のぬめり取り装置は、各々多数のブラシ毛を放射状に有し、ブラシ毛先が互いに対向するよう配置された一対の回転ブラシと、前記回転ブラシを回転駆動する回転駆動手段とを有し、処理対象の魚体を前記一対の回転ブラシのブラシ毛先間に送り込むことにより魚体表面のぬめりを取り除くぬめり取り装置であって、前記回転ブラシは、毛足が短長異なるブラシ毛を交互に有する。
【０００９】
本発明による魚のぬめり取り装置は、好ましくは、前記回転ブラシは、放射状配置のブラシ毛を自身の回転軸線方向に複数段有し、その段毎に毛足が短長異なるブラシ毛を交互に有する。
【００１０】
本発明による魚のぬめり取り装置は、好ましくは、前記回転ブラシは、円筒状のハブ部を有し、前記ハブ部の外周面に前記ブラシ毛が放射状に設けられており、前記ハブ部には当該ハブ部の外周面に開口する水噴出孔が貫通形成されている。
【発明の効果】
【００１１】
この発明による魚のぬめり取り装置によれば、処理対象の魚体を一対の回転ブラシのブラシ毛先間に確実に送り込み、魚体表面を一対の回転ブラシのブラシ毛先で挟むようにして擦ることにより、魚体表面の「ぬめり」を除去する。
【００１２】
回転ブラシは、毛足が短長異なるブラシ毛を交互に有するから、膨らみのある魚体表面に毛足が短長何れかのブラシ毛の先端部分が当接し、魚体表面のぬめり取りが魚体表面の全域に亘って満遍なく良好に行われる。
【図面の簡単な説明】
【００１３】
【図１】本発明による魚のぬめり取り装置の一つの実施例を示す正面図。
【図２】本発明による魚のぬめり取り装置の一つの実施例を示す平面図。
【図３】図２の線ＩＩＩ−ＩＩＩに沿った要部の拡大断面図。
【図４】本実施例に用いられる回転ブラシの平面図。
【図５】本実施例に用いられる回転ブラシの縦断面図。
【発明を実施するための形態】
【００１４】
本発明による魚のぬめり取り装置の一つの実施例を、図１〜図５を参照して説明する。
【００１５】
実施形態１の魚のぬめり取り装置は、ぬめり除去手段である回転ブラシ装置１０と、搬入側チェーンコンベア４０と、搬出側チェーンコンベア７０とを有する。
【００１６】
回転ブラシ装置１０は、魚体Ｗ（図３参照)の搬送方向で見て左右両側に、互いに対をなす回転ブラシ１１、１２を有する。回転ブラシ１１、１２は、各々円筒状のハブ部１１Ａ、１２Ａの外周面に多数のブラシ毛１３、１４を放射状に有するものであり、ハブ部１１Ａ、１２Ａをブラシ側軸受箱１５、１６に回転可能に支持された垂直ブラシ軸１７、１８に固定され、ブラシ毛１３、１４の先端が互いに対向するよう配置されている。
【００１７】
ブラシ毛１３、１４は、金属、プラスチックス、天然素材等により構成されていてよく、ブラシ毛１３、１４の太さ、長さ、硬さは、処理対象の魚の種類に応じて最適のぬめり取りが行われるものが選定されればよい。
【００１８】
ブラシ毛１３、１４は、好ましくは、長い寿命と広範囲な魚体の大小に対応するために、材質はステンレス線材で、線径が０．２ｍｍ〜０．８ｍｍ程度、毛足（ブラシ毛の長さ）が５０ｍｍ〜１００ｍｍ程度であればよい。
【００１９】
本実施例による回転ブラシ１１、１２は、その技術的特徴として、放射状配置のブラシ毛１３、１４を自身の回転軸線方向（ハブ部１１Ａ、１２Ａの軸線方向）に複数段有し、その段毎に毛足が短長異なるブラシ毛を交互に有する。これより以降、毛足が長い方のブラシ毛を長毛足ブラシ毛１３ａ、１４ａ、毛足が短い方のブラシ毛を短毛足ブラシ毛１３ｂ、１４ｂと云う。
【００２０】
長毛足ブラシ毛１３ａ、１４ａは、回転ブラシ１１と１２とが、図２、図３に示されているように、互いに対をなして配置された状態にて、互の先端が接触しない範囲で、極く接近し合う長さ（毛足）に設定されている。これに対し、短毛足ブラシ毛１３ｂ、１４ｂは、長毛足ブラシ毛１３ａ、１４ａの毛足より１０ｍｍ〜２０ｍｍ程度、毛足が短い。
【００２１】
ハブ部１１Ａ、１２Ａは中空筒体により構成されている。ハブ部１１Ａ、１２Ａには当該ハブ部１１Ａ、１２Ａの外周面に開口する水噴出孔１１Ｂ、１２Ｂが複数個貫通形成されている。回転ブラシ１１、１２の上方部には、ハブ部１１Ａ、１２Ａ内に水を供給する水供給用ノズル１００、１０１が配置されている。
【００２２】
回転ブラシ１１、１２は、各々、上下（軸線方向）２個に分割形成されていて、分割されたものの各々のハブ部１１Ａ、１２Ａの軸線方向の丁度１／２の部位に内側え内部フランジ１１Ｃ、１２Ｃを形成され、当該内部フランジ１１Ｃ、１２Ｃに形成されたボルト通し孔１１Ｄ、１２Ｄに通されたボルト１１Ｅ、１２Ｅによって垂直ブラシ軸１７、１８のフランジ部１７Ａ、１８Ａに着脱可能に取り付けられている。
【００２３】
回転ブラシ１１、１２は、上下２分割された分割体を個々に上下反転して全体として同等の状態で垂直ブラシ軸１７、１８に取り付けることができる。
【００２４】
回転ブラシ１１、１２は、全体で見て軸線方向の中央部を魚体が通過することから、中央部領域のブラシ毛１３、１４の摩損が早い傾向があるが、上下２分割された分割体の上下反転使用により、２度使いができ、新品交換の頻度を１／２に低減できる。
【００２５】
なお、この上下２分割された分割体の間には、上下のブラシ毛１３、１４が絡まって分割体の上下反転を阻害しないよう、ゴムパッキン９９が挟み設けられている。
【００２６】
垂直ブラシ軸１７、１８にはスプロケット１９、２０が取り付けられている。固定配置の基台３００には駆動側軸受箱２３、２４が固定配置されており、駆動側軸受箱２３、２４は駆動軸２１、２２を垂直ブラシ軸線姿勢で回転可能に支持している。駆動軸２１、２２は、基台３００に取り付けられた電動モータ（回転駆動手段）２５、２６と駆動連結され、電動モータ２５、２６によって回転駆動される。駆動軸２１、２２にはスプロケット２７、２８が取り付けられている。スプロケット２７と垂直ブラシ軸１７のスプロケット１９には無端チェーン２９が掛け渡されている。スプロケット２８と垂直ブラシ軸１８のスプロケット２０には無端チェーン３０が掛け渡されている。
【００２７】
これにより、回転ブラシ１１、１２は、個別の電動モータ２５、２６によって回転駆動される。本実施形態では、図２で見て、一方の回転ブラシ１１は反時計廻り方向に回転駆動され、他方の回転ブラシ１２は時計廻り方向に回転駆動される。回転ブラシ１１と１２の回転速度は同一であってよい。なお、回転ブラシ１１と１２は、動力伝達機構を用いて共通の一台の電動モータによって回転駆動することもできる。
【００２８】
回転ブラシ１２のブラシ側軸受箱１６は基台３００に固定配置であるが、回転ブラシ１１のブラシ側軸受箱１５は、支持部材３１によって駆動側軸受箱２３の駆動軸２１の中心軸線周りに回動可能に支持され、図示されていないばね手段によって回転ブラシ１２に近付く方向に付勢され、魚体Ｗの大きさに対応して回転ブラシ１１と１２との間隔が調整される構造になっている。
【００２９】
この一対の回転ブラシ１１、１２のブラシ毛先間に送り込まれる、ぬめり取り処理対象の魚体Ｗは、回転ブラシ１１、１２の回転によって図１、図２で見て右方から左方へ搬送される。
【００３０】
搬入側チェーンコンベア４０は、処理対象の魚体を一対の回転ブラシ１１、１２のブラシ毛先間に送り込むためのものであり、一対の回転ブラシ１１、１２の一方の側（送り込み側)、つまり、図１、図２で見て右方に配置されている。
【００３１】
搬入側チェーンコンベア４０は、各々二つのスプロケット４１、４２と４３、４４との間に掛け渡された上下一対の無端チェーン４５、４６を有する。無端チェーン４５、４６は、多数のリンクプレートＡをローラ（図示省略）によって連結したローラチェーンであり、リンクプレートＡに魚体Ｗを捕捉する尖った突片Ｃを一体形成されている。無端チェーン４５、４６の突片Ｃの突出方向は、後述する無端チェーン４５、４６の水平対向領域Ｅにおいて、互いに対向する側である。
【００３２】
スプロケット４１、４３は図には示されていない電動モータによる駆動手段により同速駆動される。このスプロケット駆動により、上側の無端チェーン４５は図１で見て時計廻り方向方向に、下側の無端チェーン４６は図１で見て反時計廻り方向方向に回転する。上下一対の無端チェーン４５、４６は、処理対象の魚体Ｗを上下両側（背びれと腹びれの側)から挟み、当該処理対象の魚体Ｗを立てた姿勢（図３参照)で一対の回転ブラシ１１、１２のブラシ毛先間に送り込む。
【００３３】
詳細には、上側のスプロケット４１、４３は水平な軸４７、４８によって上側アーム部材４９より回転可能に支持されている。上側アーム部材４９は、軸４７の軸心を中心として、換言すると、魚体進入側のスプロット４１の回転中心を中心として、略上下方向に回動可能に固定フレーム（図示省略）に取り付けられている。
【００３４】
下側のスプロケット４２、４４は水平な軸５０、５１によって下側アーム部材５２より回転可能に支持されている。下側アーム部材５２は、軸５０の軸心を中心として、換言すると、魚体進入側のスプロット４２の回転中心を中心として、略上下方向に回動可能に固定フレーム（図示省略）に取り付けられている。
【００３５】
上側アーム部材４９にはテンションアーム５３によってテンションスプロット５４が取り付けられている。下側アーム部材５２にはテンションアーム５５によってテンションスプロット５６が取り付けられている。テンションスプロット５４は上側の無端チェーン４５に所要のテンションを与え、テンションスプロット５６は下側の無端チェーン４６に所要のテンションを与える。これらテンションスプロット５４、５６は、無端チェーン４５、４６の搬送出口側（スプロケット４３、４４の側）に所定区間に亘って無端チェーン４５、４６とが水平に並行して互いに対向する水平対向領域Ｅを画成する。
【００３６】
軸４７、５０には互いに噛合する一連の歯部５７Ａ、５８Ａを有するセクタギア５７、５８が取り付けられている。これにより、上側アーム部材４９と下側アーム部材５２とが、互いに連繋連結され、同一回動角をもって開脚、閉脚回動する。上側アーム部材４９には、当該上側アーム部材４９と下側アーム部材５２を、互いに近付く方向、つまり閉脚方向に付勢する引張コイルばね５９が取り付けられている。
【００３７】
無端チェーン４５、４６の水平対向領域Ｅを含む水平な魚体搬送路には、当該魚体搬送路に沿ってＶ溝形状（Ｖ樋状）のガイド部材６０が設けられている。ガイド部材６０は、内側に上側の無端チェーン４５を受け入れ、Ｖ溝底部に下側の無端チェーン４６が走るスリット状開口（図示省略）を有する。
【００３８】
搬出側チェーンコンベア７０は、処理対象の魚体を一対の回転ブラシ１１、１２のブラシ毛先間より取り出すものであり、一対の回転ブラシ１１、１２の他方の側（取り出し側)、つまり、図１、図２で見て左方に配置されている。
【００３９】
搬出側チェーンコンベア７０は、各々二つのスプロケット７１、７２と７３、７４との間に掛け渡された上下一対の無端チェーン７５、７６を有する。無端チェーン７５、７６は、無端チェーン４５、４６と同様に、多数のリンクプレートＡをローラ（図示省略）によって連結したローラチェーンであり、リンクプレートＡに魚体を捕捉する突片Ｃを一体形成されている。無端チェーン７５、７６の突片Ｃの突出方向は、後述する無端チェーン７５、７６の水平対向領域Ｆにおいて、互いに対向する側である。
【００４０】
スプロケット７１、７３は図には示されていない電動モータによる駆動手段により同速駆動される。これにより、図１で見て、上側の無端チェーン７５は時計廻り方向方向に、下側の無端チェーン７６は反時計廻り方向方向に回転する。この上下一対の無端チェーン７５、７６は、処理対象の魚体を上下両側から挟み、当該処理対象の魚体を一対の回転ブラシ１１、１２のブラシ毛先間より取り出す。
【００４１】
詳細には、上側のスプロケット７１、７３は水平な軸７７、７８によって上側アーム部材７９より回転可能に支持されている。上側アーム部材７９は、軸７８の軸心を中心として、換言すると、魚体排出側のスプロット７３の回転中心を中心として、略上下方向に回動可能に固定フレーム（図示省略）に取り付けられている。
【００４２】
下側のスプロケット７２、７４は水平な軸８０、８１によって下側アーム部材８２より回転可能に支持されている。下側アーム部材８２は、軸８１の軸心を中心として、換言すると、魚体排出側のスプロット７２の回転中心を中心として、略上下方向に回動可能に固定フレーム（図示省略）に取り付けられている。
【００４３】
上側アーム部材７９にはテンションアーム８３によってテンションスプロット８４が取り付けられている。下側アーム部材８２にはテンションアーム８５によってテンションスプロット８６が取り付けられている。テンションスプロット８４は上側の無端チェーン７５に所要のテンションを与え、テンションスプロット８６は下側の無端チェーン７６に所要のテンションを与える。これらテンションスプロット８４、８６は、無端チェーン７５、７６の搬送入口側（スプロケット７３、７４の側）に所定区間に亘って無端チェーン７５、７６とが水平に並行して互いに対向する水平対向領域Ｆを画成する。
【００４４】
軸７８、８１には互いに噛合する一連の歯部８７Ａ、８８Ａを有するセクタギア８７、８８が取り付けられている。これにより、上側アーム部材７９と下側アーム部材８２とが、互いに連繋連結され、同一回動角をもって開脚、閉脚回動する。上側アーム部材７９には、当該上側アーム部材７９と下側アーム部材８２を、互いに近付く方向、つまり閉脚方向に付勢する引張コイルばね８９が取り付けられている。
【００４５】
無端チェーン７５、７６の水平対向領域Ｆを含む水平な魚体搬送路には、当該魚体搬送路に沿ってＶ溝形状（Ｖ樋状）のガイド部材９０が設けられている。ガイド部材９０は、内側に上側の無端チェーン７５を受け入れ、Ｖ溝の溝底部に下側の無端チェーン７６が走るスリット状開口（図示省略）を有する。
【００４６】
上述の構成による魚のぬめり取り装置の作用について説明する。
【００４７】
装置オン状態、つまり、回転ブラシ装置１０、搬入側チェーンコンベア４０、搬出側チェーンコンベア７０の全てを駆動状態にし、搬入側のガイド部材６０上に鱧等のぬめり取り対象の魚体Ｗを載せ、当該魚体Ｗを搬入側チェーンコンベア４０の無端チェーン４５、４６間に入れる。
【００４８】
これにより、魚体Ｗは、無端チェーン４５、４６とによって上下両側から挟まれ、更に無端チェーン４５、４６の各々の突片Ｃが魚体表面に喰い込みにより捕捉された状態で、回転ブラシ装置１０の一対の回転ブラシ１１、１２のブラシ毛先間へ向けて送られる。
【００４９】
搬入側チェーンコンベア４０の図１、図２で見て右側の入口側の無端チェーン４５と４６との上下間隔は、魚体進入側のスプロット４１、４２の軸間距離の設定によって、水平対向領域Ｅの上下間隔より広くなっているので、無端チェーン４５、４６間に魚体Ｗを入れることが容易に円滑に行われる。
【００５０】
魚体Ｗが無端チェーン４５、４６の水平対向領域Ｅに進入すると、魚体Ｗの太さ等に応じて、上側アーム部材４９と下側アーム部材５２とがセクタギア５７、５８の作用によって連動しながら引張コイルばね５９のばね力に抗して開脚回動する。これにより、一対の無端チェーン４５、４６は、搬送する魚体Ｗの太さの多少の大小に拘わらず、処理対象の魚体Ｗを両側から適度に挟み込んで、滑りや脱落を生じることなく、当該魚体Ｗを確実に回転ブラシ１１、１２のブラシ毛先間へ向けて搬送する。
【００５１】
この搬送は、更に、無端チェーン４５、４６の各々の突片Ｃが魚体表面に喰い込むことによって魚体Ｗを捕捉した状態で行われるので、鱧のように、細長くて表面がぬめりによって滑り易い魚体Ｗでも、確実な搬送が行われる。突片Ｃの魚体表面への喰い込みは、鱧のように、表皮が丈夫な魚に適しており、突片Ｃの魚体表面への喰い込みが、魚身を傷付けることがない。
【００５２】
このようにして、回転ブラシ１１、１２のブラシ毛先間へ送り込まれる魚体は、搬入側チェーンコンベア４０によって確実に搬送されつつ、回転している回転ブラシ１１、１２のブラシ毛１３、１４の主に先端によって表面を擦られる。
【００５３】
回転ブラシ１１、１２は、毛足が短長異なる長毛足ブラシ毛１３ａ、１４ａと短毛足ブラシ毛１３ｂ、１４ｂとを軸線方向で見て交互に有するから、膨らみのある魚体表面に、長毛足ブラシ毛１３ａ、１４ａと短毛足ブラシ毛１３ｂ、１４ｂの何れかの先端部分が当接する。詳しくは、身が薄い背びれ、腹びれの側は、専ら長毛足ブラシ毛１３ａ、１４ａの先端が当たり、身が厚い中央部分は専ら短毛足ブラシ毛１３ｂ、１４ｂの先端が当たる。これにより、魚体Ｗの太さの多少の大小に拘わらず、魚体表面のぬめり取りが魚体表面の全域に亘って満遍なく良好に行われる。
【００５４】
そして、回転ブラシ１１、１２のブラシ毛先間から出てくる魚体は、搬出側チェーンコンベア７０の一対の無端チェーン７５、７６によって上下両側から挟まれて回転ブラシ１１、１２のブラシ毛先間より強制的に取り出し搬送される。
【００５５】
魚体が無端チェーン７５、７６の水平対向領域Ｅに進入すると、魚体の太さ等に応じて、上側アーム部材７９と下側アーム部材８２とがセクタギア８７、８８の作用によって連動しながら引張コイルばね８９のばね力に抗して開脚回動する。これにより、一対の無端チェーン７５、７６は、搬送する魚体の太さの多少の大小に拘わらず、処理対象の魚体を両側から適度に挟み込んで、滑りや脱落を生じることなく、当該魚体を確実に回転ブラシ１１、１２のブラシ毛先間より取り出す搬送を行う。しかも、この搬送も、無端チェーン７５、７６の各々の突片Ｃが魚体表面に喰い込み捕捉した状態で、確実に行われる。
【００５６】
また、搬入側チェーンコンベア４０、搬出側チェーンコンベア７０によって搬送される魚体は、ガイド部材６０、９０に案内されることによっても、脱落を防止され、搬入側チェーンコンベア４０、搬出側チェーンコンベア７０による魚体の搬送が確実なものになる。
【００５７】
搬入側チェーンコンベア４０による魚体の搬送速度（チェーン速度）をＶａ、回転ブラシ１１、１２のブラシ毛先端の周速度をＶｂ、搬出側チェーンコンベア７０による魚体の搬送速度（チェーン速度）をＶｃとすると、Ｖａ＝ＶｃあるいはＶａ＜Ｖｃで、ブラシ毛先端の周速度Ｖｂは、搬送速度Ｖａ、Ｖｃより十分高速に設定されている。これらの速度は、搬送する魚体の種類、状態等に応じて適正値に設定されればよい。
【００５８】
この魚体の確実な搬送のもとに、魚体表面の「ぬめり」が、回転ブラシ１１、１２によって、連続的に擦り落とされ、ぬめり取りが、確実に、良好に行われる。
【００５９】
なお、回転ブラシ１１、１２による魚体表面のぬめり取りは、散水により回転ブラシ１１、１２、魚体が濡れた状態で、ぬめりを流し落としながら行われることが好ましい。
このことに対して、本実施例では、水供給用ノズル１００、１０１より回転ブラシ１１、１２のハブ部１１Ａ、１２Ａ内に水が供給され、回転ブラシ１１、１２の回転と共に遠心力によって水噴出孔１１Ｂ、１２Ｂより水が外方へ噴出する。これにより、僅かな水量で、強力にぬめりを流し落すことができる。
【符号の説明】
【００６０】
１０  回転ブラシ装置
１１、１２  回転ブラシ
１１Ａ、１２Ａ  ハブ部
１１Ｂ、１２Ｂ  水噴出孔
１３、１４  ブラシ毛
１３ａ、１４ａ  長毛足ブラシ毛
１３ｂ、１４ｂ  短毛足ブラシ毛
１５、１６  ブラシ側軸受箱
２３、２４  駆動側軸受箱
２５、２６  電動モータ
４０  搬入側チェーンコンベア
７０  搬出側チェーンコンベア
【図１】
2011015619.tif 000003
【図２】
2011015619.tif 000004
【図３】
2011015619.tif 000005
【図４】
2011015619.tif 000006
【図５】
2011015619.tif 000007